【手続補正書】
【提出日】平成16年2月13日(2004.2.13)
【手続補正１】
【補正対象書類名】明細書
【補正対象項目名】特許請求の範囲
【補正方法】変更
【補正の内容】
【特許請求の範囲】
【請求項１】
フレームハウジングを備えたフレームと、
前記フレームハウジングの外周部に取り付けられたステータと、
前記フレームハウジング内に形成された受け座に一方端が支持されるようにしてはめ込まれたスリーブと、
前記スリーブに回転自在にはめ込まれた軸、および前記ステータに対向配置されたマグネットを備えたロータと、
前記軸と前記スリーブとの隙間に充填されたオイルと、
前記フレームハウジング内に挿入され、前記スリーブを前記受け座に向けて押圧する固定リングと、
前記軸の基部の周囲には、前記軸と前記スリーブとの間から飛散する前記オイルを受け止めるオイルプールを有することを特徴とする電動機。
【請求項２】
フレームハウジングを備えたフレームと、
前記フレームハウジングの外周部に取り付けられたステータと、
前記フレームハウジング内に取り付けられた軸と、
カップ状のロータハウジングおよび前記ステータに対向配置されたマグネットを備えたロータと、
前記ロータハウジング内に形成された受け座に一方端が支持されるようにして取り付けられるとともに前記軸に回転自在にはめ込まれたスリーブと、
前記軸と前記スリーブとの隙間に充填されたオイルと、
前記ロータハウジング内に挿入され、前記スリーブを前記受け座に向けて押圧する固定リングと、
前記軸の基部の周囲には、前記軸と前記スリーブとの間から飛散する前記オイルを受け止めるオイルプールを有することを特徴とする電動機。
【請求項３】
前記軸の外周面または前記スリーブの内周面の何れか一方には、前記オイルを保持する動圧発生溝が形成されていることを特徴とする請求項１〜２の何れか一項に記載の電動機。
【請求項４】
前記オイルプールの外周で前記固定リングの内側には、前記固定リングとの間に所定の隙間を持って対向されたリブが形成されていることを特徴とする請求項３記載の電動機。
【請求項５】
前記リブと前記固定リングとの隙間は３００μｍ以下５０μｍ以上とされていることを特徴とする請求項４記載の電動機。
【請求項６】
請求項１〜請求項５のいずれか記載の電動機を備えた冷却用ファンモータであって、前記電動機のフレームには発熱体を取付可能としたことを特徴とするヒートシンク装置。
【請求項７】
フレームに板状かもしくはピン状のフィンを立設したことを特徴とする請求項６記載のヒートシンク装置。
【請求項８】
電動機のフレームの側壁には一以上の開口部が設けられていることを特徴とする請求項７記載のヒートシンク装置。
【手続補正２】
【補正対象書類名】明細書
【補正対象項目名】００２０
【補正方法】変更
【補正の内容】
【００２０】
【発明の実施の形態】
本発明の請求項１に記載の発明は、カップ状のフレームハウジングを備えたフレームと、フレームハウジングの外周部に取り付けられたステータと、フレームハウジング内に形成された受け座に一方端が支持されるようにしてはめ込まれたスリーブと、スリーブに回転自在にはめ込まれた軸、およびステータに対向配置されたマグネットを備えたロータと、軸とスリーブとの隙間に充填されたオイルと、フレームハウジング内に挿入され、スリーブを受け座に向けて押圧する固定リングとを有する電動機であり、軸の基部の周囲には、軸とスリーブとの間から飛散するオイルを受け止めるオイルプールが形成されている電動機であり、回転中に飛散するオイルがオイルプールにプールされるので、回転時における軸受けからのオイル流出を防止することができるという作用を有する。


【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】変更
【補正の内容】
【００２２】
本発明の請求項２に記載の発明は、カップ状のフレームハウジングを備えたフレームと、フレームハウジングの外周部に取り付けられたステータと、フレームハウジング内に取り付けられた軸と、カップ状のロータハウジングおよびステータに対向配置されたマグネットを備えたロータと、ロータハウジング内に形成された受け座に一方端が支持されるようにして取り付けられるとともに軸に回転自在にはめ込まれたスリーブと、軸とスリーブとの隙間に充填されたオイルと、ロータハウジング内に挿入され、スリーブを受け座に向けて押圧する固定リングとを有する電動機であり、軸の基部の周囲には、軸とスリーブとの間から飛散するオイルを受け止めるオイルプールが形成されている電動機であり、回転中に飛散するオイルがオイルプールにプールされるので、回転時における軸受けからのオイル流出を防止することができるという作用を有する。


【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】変更
【補正の内容】
【００２６】
本発明の請求項３に記載の発明は、請求項１〜２の何れか一項に記載の発明において、軸の外周面またはスリーブの内周面の何れか一方には、オイルを保持する動圧発生溝が形成されている電動機であり、軸の回転がスムーズになるという作用を有する。


【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】変更
【補正の内容】
【００２８】
本発明の請求項４に記載の発明は、請求項３記載の発明において、オイルプールの外周で固定リングの内側には、固定リングとの間に所定の隙間を持って対向されたリブが形成されている電動機であり、オイルをオイルプールに確実にプールすることができるという作用を有する。


【手続補正１１】
【補正対象書類名】明細書
【補正対象項目名】００２９
【補正方法】変更
【補正の内容】
【００２９】
本発明の請求項５に記載の発明は、請求項４記載の発明において、リブと固定リングとの隙間は３００μｍ以下５０μｍ以上とされている電動機であり、リブと固定リングとの隙間に流れたオイルの流出が有効に防止されるとともに軸受けに効率的にオイルが供給されるという作用を有する。


【手続補正１２】
【補正対象書類名】明細書
【補正対象項目名】００３０
【補正方法】変更
【補正の内容】
【００３０】
本発明の請求項６に記載の発明は、請求項１〜請求項５のいずれか記載の電動機を備えた冷却用ファンモータであって、前記電動機のフレームには発熱体を取付可能としたヒートシンク装置であり、発熱体の熱を直接電動機のフレームで伝導しそしてフレームが放熱作用を行うとともに、ファンが起こす空気流が効率よくフレームに当り放熱効果を高める作用を有する。


【手続補正１３】
【補正対象書類名】明細書
【補正対象項目名】００３１
【補正方法】変更
【補正の内容】
【００３１】
本発明の請求項７に記載の発明は、フレームに板状かもしくはピン状のフィンを立設した請求項６記載のヒートシンク装置であり、フィンにより放熱効率を高める作用を有する。


【手続補正１４】
【補正対象書類名】明細書
【補正対象項目名】００３２
【補正方法】変更
【補正の内容】
【００３２】
本発明の請求項８に記載の発明は、電動機のフレームの側壁には一以上の開口部が設けられている請求項７記載のヒートシンク装置であり、開口部の位置、大きさ、数を最適に行うことで、空気の流れを他の発熱体に当てたり、高温の空気をスムーズに排気する作用を有する。


【手続補正１５】
【補正対象書類名】図面
【補正対象項目名】図２
【補正方法】変更
【補正の内容】
【図２】
1999252859.tif 000001